(57)【要約】      （修正有）【課題】遠隔臨場に対応し、人との接触機会を低減し、人手不足を解消し、発注者・受注者ともに工数の低減を実現して立会業務の効率化・省力化を行う遠隔臨場検査監督システムを提供する。【解決手段】撮影部、表示部及び入力部を有する現場端末２０と、撮影部、表示部３２及び入力部を有し遠隔で臨場する監督員の監督員端末３０との間でネットワーク９０を介して通信を行う遠隔臨場検査監督システム１００は、サーバ７０が、立会簿・帳票を作成する画面を監督員端末３０及び現場端末２０の表示部に表示する立会簿・帳票作成手段と、現場端末２０又は監督員端末３０の撮影部によって撮影された動画をリアルタイムで中継して現場端末２０及び監督員端末３０の表示部に表示する動画中継手段と、中継されている動画をキャプチャーすると、当該キャプチャー画像を現場端末２０及び監督員端末３０の表示部に表示するキャプチャー画像表示手段と、を備える。【選択図】図１
0003234061.tif 000002
【実用新案登録請求の範囲】
【請求項１】
撮影部、表示部及び入力部を有する現場端末と、撮影部、表示部及び入力部を有し遠隔で臨場する監督員の監督員端末と、の間で相互に通信を行う遠隔臨場検査監督システムであって、
立会簿・帳票を作成する画面を、前記監督員端末及び監督員端末の表示部に表示する立会簿・帳票作成手段と、
前記現場端末又は前記監督員端末の撮影部によって撮影された動画を、リアルタイムで中継して前記現場端末及び前記監督員端末の表示部に表示する動画中継手段と、
前記現場端末又は前記監督員端末によって、前記リアルタイムで中継されている動画をキャプチャーすると、当該キャプチャー画像を前記現場端末及び前記監督員端末の表示部に表示するキャプチャー画像表示手段と、
前記立会簿・帳票を作成する画面と、動画中継画面と、キャプチャー画像の画面配置を制御する制御手段と、
を備えることを特徴とする遠隔臨場検査監督システム。
【請求項２】
前記制御手段は、
立会の完了にあたり、監督員の署名を入力する画面を、前記監督員端末の表示部に表示し、及び／又は、現場の作業員の署名を入力する画面を、前記現場端末の表示部に表示し、
前記監督員端末及び／又は現場端末の入力部によって署名が入力されると、立会を終了することを特徴とする請求項１記載の遠隔臨場検査監督システム。
【請求項３】
前記制御手段は、
前記監督員端末又は前記現場端末の入力部によって選択された立会簿・写真・動画を、当該選択を行った前記監督員端末又は現場端末に送信することを特徴とする請求項１又は２記載の遠隔臨場検査監督システム。
【請求項４】
撮影部、表示部及び入力部を有する現場端末と、撮影部、表示部及び入力部を有し遠隔で臨場する監督員の監督員端末と、の間で相互に通信を行う遠隔臨場検査監督装置であって、
立会簿・帳票を作成する画面を、前記監督員端末及び監督員端末の表示部に表示する立会簿・帳票作成手段と、
前記現場端末又は前記監督員端末の撮影部によって撮影された動画を、リアルタイムで中継して前記現場端末及び前記監督員端末の表示部に表示する動画中継手段と、
前記現場端末又は前記監督員端末によって、前記リアルタイムで中継されている動画をキャプチャーすると、当該キャプチャー画像を前記現場端末及び前記監督員端末の表示部に表示するキャプチャー画像表示手段と、
前記立会簿・帳票を作成する画面と、動画中継画面と、キャプチャー画像の画面配置を制御する制御手段と、
を備えることを特徴とする遠隔臨場検査監督装置。
【考案の詳細な説明】
【技術分野】
【０００１】
本考案は、遠隔臨場によって検査監督を行う遠隔臨場検査監督システム及び装置に関する。
【背景技術】
【０００２】
土木・建築等の分野では、現地に監督員が出張し、現地現物の確認を行う立会を要することがある。例えば、下記特許文献１の土木建築工事の立会有無判定方法とそのシステムは、既に電子ファイル化された土木建築工事帳票を入力する手段と、帳票の情報の中から立会有無の判定に使用する情報個所を抽出する手段と、該抽出した情報を既存の立会有無の判断情報に既定ポイントを重み付けして登録・保存したデータベースの内容とを比較し、合致した場合に既定ポイントを加算する手段と、抽出した情報をポイント加算した値を立会有無基準値と比較して立会判定を行う手段と、その立会判定結果を出力する手段とからなる。
【先行技術文献】
【特許文献】
【０００３】
【特許文献１】特開２００８−１１７２３２号公報
【考案の概要】
【考案が解決しようとする課題】
【０００４】
ところで、土木・建築等の分野をはじめ、立会を要する業務については、国土交通省が「遠隔臨場」をしている。特に、新型コロナウイルス感染症のような、感染症による人との接触が制限される場合に、前記遠隔臨場は、極めて有効な立会手段となる。しかしながら、上述した特許文献１においては、このような遠隔臨場に対応していない。
【０００５】
本考案は、以上の課題に鑑み、遠隔臨場によって検査監督を行うことで、人との接触機会を低減し、人手不足を解消し、移動にかかる時間や手持ち時間を短縮して、発注者及び受注者ともに工数の低減を実現して立会業務の効率化・省力化を行う遠隔臨場検査監督システム及び装置を提供することを、その目的とする。
【課題を解決するための手段】
【０００６】
第１の考案は、撮影部、表示部及び入力部を有する現場端末と、撮影部、表示部及び入力部を有し遠隔で臨場する監督員の監督員端末と、の間で相互に通信を行う遠隔臨場検査監督システムであって、立会簿・帳票を作成する画面を、前記現場端末及び監督員端末の表示部に表示する立会簿・帳票作成手段と、前記現場端末又は前記監督員端末の撮影部によって撮影された動画を、リアルタイムで中継して前記現場端末及び前記監督員端末の表示部に表示する動画中継手段と、前記現場端末又は前記監督員端末によって、前記リアルタイムで中継されている動画をキャプチャーすると、当該キャプチャー画像を前記現場端末及び前記監督員端末の表示部に表示するキャプチャー画像表示手段と、前記立会簿・帳票を作成する画面と、動画中継画面と、キャプチャー画像の画面配置を制御する制御手段と、を備える遠隔臨場検査監督システムを提供する。
【０００７】
第２の考案は、前記第１の考案において、前記制御手段は、立会の完了にあたり、監督員の署名を入力する画面を、前記監督員端末の表示部に表示し、及び／又は、現場の作業員の署名を入力する画面を、前記現場端末の表示部に表示し、前記監督員端末及び／又は現場端末の入力部によって署名が入力されると、立会を終了する遠隔臨場検査監督システムを提供する。
【０００８】
第３の考案は、前記第１又は第２の考案において、前記制御手段は、前記監督員端末又は前記現場端末の入力部によって選択された立会簿・写真・動画を、当該選択を行った前記監督員端末又は現場端末に送信する遠隔臨場検査監督システムを提供する。
【０００９】
第４の考案は、撮影部、表示部及び入力部を有する現場端末と、撮影部、表示部及び入力部を有し遠隔で臨場する監督員の監督員端末と、の間で相互に通信を行う遠隔臨場検査監督装置であって、立会簿・帳票を作成する画面を、前記監督員端末及び監督員端末の表示部に表示する立会簿・帳票作成手段と、前記現場端末又は前記監督員端末の撮影部によって撮影された動画を、リアルタイムで中継して前記現場端末及び前記監督員端末の表示部に表示する動画中継手段と、前記現場端末又は前記監督員端末によって、前記リアルタイムで中継されている動画をキャプチャーすると、当該キャプチャー画像を前記現場端末及び前記監督員端末の表示部に表示するキャプチャー画像表示手段と、前記立会簿・帳票を作成する画面と、動画中継画面と、キャプチャー画像の画面配置を制御する制御手段と、を備える遠隔臨場検査監督装置を提供する。
【考案の効果】
【００１０】
本考案によれば、撮影部、表示部及び入力部を有する現場端末と、撮影部、表示部及び入力部を有し遠隔で臨場する監督員の監督員端末と、の間で相互に通信を行う遠隔臨場検査監督システム又は装置であって、立会簿・帳票を作成する画面を、前記監督員端末及び監督員端末の表示部に表示する立会簿・帳票作成手段と、前記現場端末又は前記監督員端末の撮影部によって撮影された動画を、リアルタイムで中継して前記現場端末及び前記監督員端末の表示部に表示する動画中継手段と、前記現場端末又は前記監督員端末によって、前記リアルタイムで中継されている動画をキャプチャーすると、当該キャプチャー画像を前記現場端末及び前記監督員端末の表示部に表示するキャプチャー画像表示手段と、前記立会簿・帳票を作成する画面と、動画中継画面と、キャプチャー画像の画面配置を制御する制御手段と、を備えることとした。
【００１１】
このため、国土交通省が推進する遠隔臨場に対応し、事務所などにいたまま現場立会を実現し、人との接触機会を低減し、人手不足を解消し、移動にかかる時間や手持ち時間を短縮して、発注者及び受注者ともに工数の低減を実現して立会業務の効率化・省力化を行うことができる。
【図面の簡単な説明】
【００１２】
【図１】本考案の一実施形態の遠隔臨場検査監督システムの全体構成を示す概念図である。
【図２】前記実施形態の現場端末の構成を示すブロック図である。
【図３】前記実施形態の監督員端末の構成を示すブロック図である。
【図４】前記実施形態のサーバの構成を示すブロック図である。
【図５】前記実施形態による遠隔臨場検査監督処理フローの一例を示すフローチャートである。
【図６】前記実施形態の表示画面の一例を示す図である。
【図７】前記実施形態の表示画面の一例を示す図である。
【図８】前記実施形態の表示画面の一例を示す図である。
【図９】前記実施形態の表示画面の一例を示す図である。
【図１０】前記実施形態の表示画面の一例を示す図である。
【図１１】前記実施形態の表示画面の一例を示す図である。
【図１２】前記実施形態の表示画面の一例を示す図である。
【図１３】前記実施形態の表示画面の一例を示す図である。
【図１４】前記実施形態の表示画面の一例を示す図である。
【図１５】前記実施形態の表示画面の一例を示す図である。
【図１６】前記実施形態の表示画面の一例を示す図である。
【図１７】前記実施形態の現場端末の他の使用例を示す図である。
【図１８】前記実施形態の現場端末の他の使用例を示す図である。
【考案を実施するための形態】
【００１３】
本考案は、土木・建築分野をはじめ立会（現地に監督員が出張し現地現物の確認を行うことを）を要する業務において、出張することなく、事務所の机上のＰＣやタブレット端末で遠隔地との立会を可能とするものである。例えば、昨今、テレワークが推奨されているが、本考案のシステムを利用することにより、テレワークが可能となり、移動に係る時間を削減し、土木・建築分野が抱える人手不足などの課題を解決する。特に、新型コロナウイルス感染症（ＣＯＶＩＤ−１９）のような、感染症による人との接触が制限される場合において、極めて有効な立会手段となるものである。
【００１４】
＜全体構成＞・・・図１は、本考案の一実施形態の遠隔臨場検査監督システム（ないし装置）の全体構成を示す概念図である。遠隔臨場検査監督システム１００は、現場１０にある現場端末２０と、監督員端末３０と、サーバ７０により構成されている。現場端末２０、監督員端末３０、サーバ７０は、ネットワーク９０を介して相互にデータの送受信が可能となっている。なお、図の立会簿・帳票作成画面４０、動画中継画面５０、キャプチャー画像６０のウィンドウは、それぞれ最大化表示が可能である。
【００１５】
＜現場端末の構成＞・・・図２は、本実施形態の現場端末の構成を示すブロック図である。現場端末２０は、現場１０を撮影するものであって、図２に示すように、撮影部２１、表示部２２、入力部２４、通信部２６、制御部２８を備えている。撮影部２１は、現場１０を撮影するものであり、撮影した動画をキャプチャーする機能を有する。前記表示部２２及び入力部２４は、本実施例では、タッチパネルである。入力部２４については、タッチペンなどを含むようにしてもよい。通信部２６は、ネットワーク９０を介して、撮影部２１により撮影した動画やキャプチャーした画像をサーバ７０に送信するものである。制御部２８は、前記撮影部２１、表示部２２、入力部２４及び通信部２６や、現場端末２０自体の操作を制御するものである。現場端末２０は、後述するようにスマートフォンであってもよく、タブレット端末等であってもよい。なお、前記撮影部２１は、内側と外側とを切り替えできる構成であってもよく、現場１０を中継するときには、外側のカメラを使用する。
【００１６】
＜監督員端末の構成＞・・・図３は、本実施形態の監督員端末の構成を示すブロック図である。監督員端末３０は、基本的には、現場端末２０と同様の構成となっており、撮影部３１、表示部３２、入力部３４、通信部３６、制御部３８を備えている。本実施形態では、監督員端末３０は、タブレットであるが、ノートＰＣやスマートフォン等であってもよい。撮影部３１は、例えば、監督員の顔（表情）を撮影するものであり、撮影した動画をキャプチャーする機能を有する。前記表示部３２及び入力部３４は、本実施例では、タッチパネルである。入力部３４については、タッチペンなどを含むようにしてもよい。通信部３６は、ネットワーク９０を介してサーバ７０からリアルタイム画像を受信したり、立会終了後に、帳票や動画、キャプチャーされた画像などを受信するものである。制御部３８は、前記撮影部３１、表示部３２、入力部３４、通信部３６の各部や、監督員端末３０自体を制御するものである。なお、前記撮影部３１は、内側と外側とを切り替えできる構成であってもよく、監督員は、内側のカメラを使用して、監督員の顔（表情）を中継してもよい。
【００１７】
＜サーバの構成＞・・・図４は、本実施形態のサーバの構成を示すブロック図である。サーバ７０は、立会簿・帳票作成手段７２、動画中継手段７４、キャプチャー画像表示手段７６、保存手段７７、制御手段７８、通信部８０を備えている。
【００１８】
立会簿・帳票作成手段７２は、立会簿・帳票を作成する画面を、前記現場端末２０の表示部２２及び前記監督員端末３０の表示部３２に表示するものである。例えば、テキストの入力は現場端末２０と監督員端末３０の双方で可能であり、入力したテキストはリアルタイムに双方の画面に表示共有される。なお、入力したテキストは共有されるが、表示するページは共有されない。例えば、１０枚の立会簿が登録された立会で、現場が１枚目を表示していても、監督員は１〜１０頁までの任意のページを表示することが可能である。すなわち、現場端末２０と監督員端末３０が互いに、任意のページを読めるように、表示するページまでは共有できないようにしている。
【００１９】
動画中継手段７４は、前記現場端末２０の撮影部２１又は監督員端末３０の撮影部３１によって撮影された動画を、ネットワーク９０を経由して、リアルタイムで中継して現場端末２０の表示部２２及び監督員端末３０の表示部３２に表示するものである。キャプチャー画像表示手段７６は、前記現場端末２０又は前記監督員端末３０によって、前記リアルタイムで中継されている動画をキャプチャーすると、当該キャプチャー画像を前記現場端末２０の表示部２２及び前記監督員端末３０の表示部３２に表示するものである。ここで、立会の参加者は最大４人であり、４人を動画中継画面に４分割にして前記現場端末２０又は前期監督員端末３０及び他２人の端末に表示することも可能である。動画及びキャプチャー画像の保存は、４分割した４人を同時に保存することも、参加者それぞれを個別に保存することも可能である。
【００２０】
保存手段７７は、現場端末２０及び／又は監督員端末３０で撮影された動画やキャプチャーされた画像、作成された立会簿・帳票をクラウド上に保存するものである。制御手段７８は、立会簿・帳票を作成する画面と、動画中継画面と、動画キャプチャー画面の画面配置を制御するとともに、サーバ７０自体を制御するものである。例えば、図１の動画中継画面５０の小窓に表示されている２名が現場の作業員と監督員である場合、いずれかを選択することで、現場と監督員を切り替えて動画中継内の画面に大きく表示するようにしてもよい。
【００２１】
また、制御手段７８は、後述するように、立会の完了にあたり、監督員（現場１０の作業員の場合もある）の署名を入力する画面を、前記監督員端末３０の表示部３２又は現場端末２０の表示部２２に表示し、前記現場端末２０の入力部３４又は監督員端末３０の入力部３４（タッチペンなど）によって署名が入力されると、立会を終了する。また、制御手段７８は、現場端末２０の入力部２４や監督員端末３０の入力部３４によって選択された立会簿や写真や動画を、当該選択をした端末に送信する。以上の各部のデータの送受信は、通信部８０及びネットワーク９０を介して実現される。
【００２２】
＜遠隔臨場検査監督処理＞・・・次に、本実施形態の遠隔臨場検査監督システム１００による遠隔臨場検査監督処理の一例について、図５〜図１６を参照して説明する。図５は、本実施形態による遠隔臨場検査監督処理フローの一例を示すフローチャートであり、図６〜図１６は、本実施形態の表示画面の一例を示す図である。なお、図６〜図１６に示す表示画面は、基本的には、現場端末２０の表示部２２と監督員端末３０の表示部３２に同様に表示されるが、ここでは、監督員端末３０の表示部３２に表示された画面を例に挙げている。なお、現場端末２０は、現場１０にあり、監督員端末３０は、現場１０ではない場所（例えば、事務所や自宅等）にあるものとする。また、以下の処理において、現場端末２０の表示部２２及び監督員端末３０の表示部３２に表示される各種画面の表示や配置は、サーバ７０の制御手段７８により制御される。
【００２３】
まず、ステップＳ１０において、現場１０では、現場端末２０を使用し、監督員は監督員端末３０を使用して、システムにログインする。図６は、ログイン画面の一例を示す図であり、監督員端末３０の表示部３２に、ログイン用の画面４１が表示される（現場端末２０でも同様）。ここで、監督員は、入力部３４を用いて、ユーザ名、パスワードを入力し、「ログイン」を押す。
【００２４】
次に、ステップＳ１２において、現場１０では、現場端末２０を使用して、新規現場を作成する。図７は、新規現場作成画面の一例を示す図であり、作業員１２は、図７の画面４２において、入力部２４を用いて、現場名称、説明、パスワード、担当者等を入力し、最後に「作成する」を押して新規現場の作成を完了する。
【００２５】
次に、ステップＳ１４において、監督員は、監督員端末３０を用いて現場へ入場する。図８は、現場入場画面の一例を示す図であり、監督員は、図８の画面４３において、入力部３４を用いて、現場毎に設定されたパスワードを入力し、「認証する」を押す。
【００２６】
次に、ステップＳ１６において、現場１０では、現場端末２０を用いて新規の立会を作成する。図９は、新規の立会を作成する画面の一例を示す図であり、現場１０の作業員１２は、図９の画面４４において、入力部２４を用いて、工種の入力、立会ＰＤＦの選択、立会日の選択、立会の名称の入力をし、最後に「作成する」を押す。これにより、立会の作成が完了する。
【００２７】
次に、ステップＳ１８において、監督員は、監督員端末３０を用いて立会への入場をする。図１０は、立会への入場画面の一例を示す図であり、監督員は、図１０の画面４５において、入力部３４を用いて、立会名を押して、立会へ入場する。
【００２８】
立会に入場すると、立会画面が開き、図１１に示す画面が監督員端末３０の表示部３２に表示される。図示の例では、サーバ７０の立会簿・帳票作成手段７２によって、画面の右側に、立会簿・帳票作成画面４０が表示され、画面の左上に、動画中継手段７４によって、動画中継画面５０が表示される（ステップＳ２０）。図１１の動画中継画面５０の小窓５０Ａ、５０Ｂに表示されている２名が現場１０の作業員１２と監督員である場合、いずれかを選択することで、現場１０と監督員を切り替えて動画中継内の画面に大きく表示するようにしてもよい。なお、小窓５０Ａ、５０Ｂは、２つを例示したが、２つ以上（例えば、４つ）備えていてよい。撮影されている動画は、サーバ７０の保存手段７７によってクラウド上に保存される。また、図示されていないが、画面の左下には、後述するキャプチャー画像が表示される（現場端末２０においても同様の表示がされる）。
【００２９】
次に、ステップ２２において、現場１０の作業員１２は、現場端末２０を用いて動画キャプチャーを行う。図１２には、動画をキャプチャーするための画面が表示されており、動画中継画面５０のカメラマーク５２が押されると、現場端末２０の制御部２８によって動画がキャプチャーされ、キャプチャー画像６０が、サーバ７０のキャプチャー画像表示手段７６によって画面左下に表示される。なお、ここでは、現場１０側でキャプチャーを行うこととしたが、監督員側でキャプチャーを行うようにしてもよい。キャプチャーされた画像は、サーバ７０の保存手段７７によってクラウド上に保存される。
【００３０】
次に、ステップＳ２４において、監督員は、監督員端末３０を用いて立会簿・帳票作成を行う。例えば、図１２の立会簿・帳票作成画面４０の右上の「＋」ボタンを押すことで、ＰＤＦ形式で取り込んだ立会簿に、テキストの入力をすることができる。例えば、「＋」ボタンを押した後に、入力したい範囲をタッチペンで囲むことにより、テキストを編集することができる。
【００３１】
図１３は、監督員端末３０の表示部３２の一例を示す図であり、右側の立会簿・帳票作成画面４０のテキストボックス４６をタッチペンで押すと、ボックス内のテキストを編集することができる。図１３は、左下のキャプチャー画像画面６０の内容を反映するように、テキストボックス４６内の数値を編集した状態を示す。このようなテキストの編集は、現場端末１０でも同様に行うことができ、リアルタイムで共有される。
【００３２】
次に、ステップＳ２６において、監督員は、監督員端末３０を用いて、署名・立会を完了する。図１４には、署名・立会の完了画面の一例が示されている。同図では、左下の動画キャプチャー画面６０の横に、署名欄６２が表示される。ここで、監督員は、入力部（タッチペンなど）３４を用いて署名する。そして、内容に修正がなければ、「承認する」ボタン６４を押し、修正がある場合には、「差し戻す」ボタン６６を押す。「承認する」ボタン６４が押されると、署名・立会が完了する。なお、署名は多くの場合、監督員が行うが、現場側で署名を行うことを妨げるものではない。
【００３３】
次に、ステップＳ２８において、監督員は、監督員端末３０を用いて、立会簿・写真・動画をダウンロードする。図１５には、立会簿・写真（キャプチャー画像）・動画のダウンロード用の画面の一例が表示されている。同図の画面右下の「ファイルをダウンロードする」ボタン６７を押すと、画面中央に確認用のボタン６８が表示され、「ダウンロード」を押すと、立会簿・写真・動画が、監督員端末３０にダウンロードされる。これらのファイルのダウンロードは、現場端末２０で行ってもよい。図１６には、ダウンロードした立会簿と写真のイメージ６９が示されている。むろん、これらに加えて動画をダウンロードした場合には、そのサムネイルを表示してもよい。
【００３４】
＜効果＞・・・以上説明した実施形態によれば、撮影部２１、表示部２２及び入力部２４を有する現場端末２０と、撮影部３１、表示部３２及び入力部３４を有し遠隔で臨場する監督員の監督員端末３０と、の間でネットワーク９０を介して相互に通信を行う遠隔臨場検査監督システム１００は、立会簿・帳票を作成する画面を、前記現場端末２０の表示部２２及び前記監督員端末３０の表示部３２に表示する立会簿・帳票作成手段７２と、前記現場端末２０の撮影部２１又は監督員端末３０の撮影部３１によって撮影された動画を、リアルタイムで中継して前記現場端末２０の表示部２２及び前記監督員端末３０の表示部３２に表示する動画中継手段７４と、前記現場端末２０又は前記監督員端末３０によって、前記リアルタイムで中継されている動画を、キャプチャーすると、当該キャプチャー画像を前記現場端末２０の表示部２２及び監督員端末３０の表示部３２に表示するキャプチャー画像表示手段７６と、前記立会簿・帳票を作成する画面と、動画中継画面と、キャプチャー画像の画面配置を制御する制御手段７８と、を備えることとした。
【００３５】
このため、国土交通省が推進する遠隔臨場に対応し、事務所などにいたまま現場立会を実現し、人との接触機会を低減し、人手不足を解消し、移動にかかる時間や手持ち時間を短縮して、発注者及び受注者ともに工数の低減を実現して立会業務の効率化・省力化を行うことができる。
【００３６】
なお、上述した実施形態は、一例であり、同様の効果を奏する範囲内で適宜変更が可能である。例えば、前記実施形態では、現場１０の端末２０を通信機能を備えた撮像機器としたが、スマートフォンやタブレットを使用してもよい。図１７には、現場端末２０としてスマートフォンを使用した例が示されており、作業員１２のヘルメット１４にホルダ１５によって取り付けられている。また、図１８に示すように、作業員１２が直接見ることができない（あるいは危険な）場所については、バー１６の先端のホルダ１７にスマートフォンを取り付け、例えば、土中の管内を撮影することができる。また、上述した実施形態で示した各種画面は一例であり、同様の効果を奏するように適宜変更してよい。また、本考案は、装置の考案として提供されてもよい。
【産業上の利用可能性】
【００３７】
本考案によれば、撮影部、表示部及び入力部を有する現場端末と、撮影部、表示部及び入力部を有し遠隔で臨場する監督員の監督員端末と、の間で相互に通信を行うとともに、立会簿・帳票を作成する画面を、前記監督員端末及び監督員端末の表示部に表示する立会簿・帳票作成手段と、前記現場端末又は前記監督員端末の撮影部によって撮影された動画を、リアルタイムで中継して前記現場端末及び前記監督員端末の表示部に表示する動画中継手段と、前記現場端末又は前記監督員端末によって、前記リアルタイムで中継されている動画を、キャプチャーすると、当該キャプチャー画像を前記現場端末及び前記監督員端末の表示部に表示するキャプチャー画像表示手段と、前記立会簿・帳票を作成する画面と、動画中継画面と、キャプチャー画像の画面配置を制御する制御手段と、を備えることとした。
【００３８】
このため、国土交通省が推進する遠隔臨場に対応し、事務所などにいたまま現場立会を実現し、人との接触機会を低減し、人手不足を解消し、移動にかかる時間や手持ち時間を短縮して、発注者及び受注者ともに工数の低減を実現して立会業務の効率化・省力化を行うことができる。
【符号の説明】
【００３９】
１０：現場
１２：作業員
１４：ヘルメット
１５：ホルダ
１６：バー
１７：ホルダ
２０：現場端末
２１：撮影部
２２：表示部
２４：入力部
２６：通信部
２８：制御部
３０：監督員端末
３１：撮影部
３２：表示部
３４：入力部
３６：通信部
３８：制御部
４０：立会簿：帳票作成画面
４１〜４５：画面
４６：テキストボックス
４７：ボタン
５０：動画中継画面
５０Ａ、５０Ｂ：小窓
５２：カメラマーク
６０：動画キャプチャー画面
６２：署名欄
６４、６６、６７、６８：ボタン
６９：イメージ
７０：サーバ
７２：立会簿・帳票作成手段
７４：動画中継手段
７６：キャプチャー画像表示手段
７７：保存手段
７８：制御手段
８０：通信部
９０：ネットワーク
１００：遠隔臨場検査監督システム
【図１】
0003234061.tif 000003
【図２】
0003234061.tif 000004
【図３】
0003234061.tif 000005
【図４】
0003234061.tif 000006
【図５】
0003234061.tif 000007
【図６】
0003234061.tif 000008
【図７】
0003234061.tif 000009
【図８】
0003234061.tif 000010
【図９】
0003234061.tif 000011
【図１０】
0003234061.tif 000012
【図１１】
0003234061.tif 000013
【図１２】
0003234061.tif 000014
【図１３】
0003234061.tif 000015
【図１４】
0003234061.tif 000016
【図１５】
0003234061.tif 000017
【図１６】
0003234061.tif 000018
【図１７】
0003234061.tif 000019
【図１８】
0003234061.tif 000020